(57)【要約】【課題】構造が簡単で生産効率が良く、使用中に風に煽られるなどしても引っ付くことなく接着面積が小さくなることがなく、しかも単に紙に包むなどして簡単に廃棄することができ、さらに犬や猫が接触しても、その接触した部分に接着し難く、また犬や猫の体に巻き付くようなこともなく、使えなくなって無駄になるようなことのない害虫粘着捕獲材を提供する。【解決手段】起立可能とした細長状の基材１の表面に、非粘着部２ａを設けると共に粘着部２ｂを設けたものとしている。そして、前記粘着部２ｂを、飛翔害虫は接触して粘着捕獲されるが、犬、猫は接触しても離れ易いように設けたものとしている。【選択図】　　　　図１
2004097203.tif 000002
【特許請求の範囲】
【請求項１】
起立可能とした細長状の基材（１）の表面に、非粘着部（２ａ）を設けると共に粘着部（２ｂ）を設けたことを特徴とする害虫粘着捕獲材。
【請求項２】
前記基材（１）が、両端部のうちの少なくとも一端部に設けた非粘着部（２ａ）を除いて粘着部（２ｂ）を設けると共に、両端におよぶ複数の切断用案内（３）を設けた面状基材（Ａ）を、その切断用案内（３）に沿って、複数の細長状に切り離したものであることを特徴とする請求項１記載の害虫粘着捕獲材。
【請求項３】
前記粘着部（２ｂ）が、飛翔害虫は接触して粘着捕獲されるが、犬、猫は接触しても離れ易いように設けたものであることを特徴とする請求項１記載の害虫粘着捕獲材。
【請求項４】
前記粘着部（２ｂ）が、飛翔害虫の誘引剤および犬、猫の忌避剤を混入したものであることを特徴する請求項１記載の害虫粘着捕獲材。
【請求項５】
前記面状基材（Ａ）の何れかの基材１の両端部のうちの少なくとも一端部に、基材（１）の立て台（６）を切り離し可能な状態で連設したことを特徴とする請求項２記載の害虫粘着捕獲材。
【請求項６】
前記粘着部（２ｂ）に、切断用案内（３）に沿うようにして切断用案内（４）を設けた離型紙（５）を貼着したことを特徴とする請求項２記載の害虫粘着捕獲材。
【請求項７】
前記粘着部（２ｂ）を、断面形状が星型多角形状の細長状の基材（１）の非粘着部（２ａ）とした各角部を除いた側周部に設けたものとしたことを特徴とする請求項３記載の害虫粘着捕獲材。
【請求項８】
前記粘着部（２ｂ）を、複数枚の長尺状板材を断面放射形状に組み合わせた細長状の基材（１）の非粘着部（２ａ）とした各側面部外端を除いた各側面部に設けたものとしたことを特徴とする請求項３記載の害虫粘着捕獲材。
【請求項９】
前記粘着部（２ｂ）を、縦方向に立設した板状部材（１ａ）から横方向に突出した少なくとも一個の板状部材（１ｂ）からなる細長状の基材（１）の非粘着部（２ａ）とした各板状部材（１ｂ）の外端部を除いた各表裏面に設けたものとしたことを特徴とする請求項３記載の害虫粘着捕獲材。
【請求項１０】
前記粘着部（２ｂ）を、水平方向に張り出して非粘着部（２ａ）とした円形の邪魔板（１ｃ）を少なくとも上部に備えた棒状部材（１ｄ）からなる細長状の基材（１）のその棒状部材（１ｄ）の側周部に設けたものとしたことを特徴とする請求項３記載の害虫粘着捕獲材。
【請求項１１】
前記粘着部（２ｂ）を、幅狭の長尺状板材（１ｅ）と幅広の長尺状板材（１ｆ）を組み合わせて断面Ｔ字形状とした細長状の基材（１）の非粘着部（２ａ）とした長尺状板材（１ｅ）の外端部を除いた裏面に設けたものとしたことを特徴とする請求項３記載の害虫粘着捕獲材。
【発明の詳細な説明】
【０００１】
【発明の属する技術分野】
この発明は、ハエなどの飛翔昆虫に適した害虫粘着捕獲材に関するものである。
【０００２】
【従来の技術】
従来、ハエなどの飛翔昆虫に適した害虫粘着捕獲材として、両面に粘着剤を塗布したリボンを螺旋状に長く引き出した状態として、釣り下げるようにした、いわゆる「ハエ取りリボン」と称されるものが存在する。
【０００３】
この「ハエ取りリボン」は、主に台所などハエの集まりそうな場所に、天井などから複数本、吊り下げて、そのリボンに止まったハエを粘着剤に粘着させて捕獲するようにしている。
【０００４】
【発明が解決しようとする課題】
しかしながら、従来の害虫粘着捕獲材は、前記リボンを螺旋状に引き出すようにするための構造が複雑なため、製造工程も煩雑となり、生産効率が悪いという課題を有していた。
【０００５】
さらに、従来の害虫粘着捕獲材は、前記リボンを螺旋状に上手く引き出すことができず、リボンどうしが接着してしまったりして、引き出した状態が短くなって接着面積が小さくなり、捕獲効率が悪くなるという課題を有していた。
【０００６】
また、従来の害虫粘着捕獲材は、天井などから吊り下げた複数本のリボンどうしが、風に煽られて引っ付いてしまい、前記と同様に接着面積が小さくなり、捕獲効率が悪くなるという課題を有していた。
【０００７】
しかも、従来の害虫粘着捕獲材は、リボンが螺旋状に長く引き出された状態では廃棄時に嵩張るので、これを嵩低く纏めようとすると、リボンが手や腕に付着し易く、その纏め作業がし難く、廃棄するのが面倒であるという課題を有していた。
【０００８】
さらにまた、従来の害虫粘着捕獲材は、犬や猫を飼っている家庭では、前記リボンに犬や猫が接触すると、その接触した部分に接着して取れなくなってしまったり、犬や猫の体に巻き付いてしまって、使えなくなることがあるという課題を有していた。
【０００９】
そこで、この発明は、上記従来の課題を解決するものであり、構造が簡単で生産効率が良く、使用中に風に煽られるなどしても引っ付くことなく接着面積が小さくなることがなく、しかも単に紙に包むなどして簡単に廃棄することができ、さらに犬や猫が接触しても、その接触した部分に接着し難く、また犬や猫の体に巻き付くようなこともなく、使えなくなって無駄になるようなことのない害虫粘着捕獲材を提供することを目的としてなされたものである。
【００１０】
【課題を解決するための手段】
そのため、この発明の害虫粘着捕獲材は、起立可能とした細長状の基材１の表面に、非粘着部２ａを設けると共に粘着部２ｂを設けたものとしている。
【００１１】
そして、この発明の害虫粘着捕獲材は、前記基材１を、両端部のうちの少なくとも一端部に設けた非粘着部２ａを除いて粘着部２ｂを設けると共に、両端におよぶ複数の切断用案内３を設けた面状基材Ａを、その切断用案内３に沿って、複数の細長状に切り離したものとしている。
【００１２】
さらに、この発明の害虫粘着捕獲材は、前記粘着部２ｂを、飛翔害虫は接触して粘着捕獲されるが、犬、猫は接触しても離れ易いように設けたものとしている。
【００１３】
さらに、この発明の害虫粘着捕獲材は、前記粘着部２ｂを、飛翔害虫の誘引剤および犬、猫の忌避剤を混入したものとしている。
【００１４】
さらに、この発明の害虫粘着捕獲材は、前記面状基材Ａの何れかの基材１の両端部のうちの少なくとも一端部に、基材１の立て台６を切り離し可能な状態で連設したものとしている。
【００１５】
さらに、この発明の害虫粘着捕獲材は、前記粘着部２ｂに、切断用案内３に沿うようにして切断用案内４を設けた離型紙５を貼着したものとしている。
【００１６】
さらに、この発明の害虫粘着捕獲材は、前記粘着部２ｂを、断面形状が星型多角形状の細長状の基材１の非粘着部２ａとした各角部を除いた側周部に設けたものとしている。
【００１７】
さらに、この発明の害虫粘着捕獲材は、前記粘着部２ｂを、複数枚の長尺状板材を断面放射形状に組み合わせた細長状の基材１の非粘着部２ａとした各側面部外端を除いた各側面部に設けたものとしている。
【００１８】
さらに、この発明の害虫粘着捕獲材は、前記粘着部２ｂを、縦方向に立設した板状部材１ａから横方向に突出した少なくとも一個の板状部材１ｂからなる細長状の基材１の非粘着部２ａとした各板状部材１ｂの外端部を除いた各表裏面に設けたものとしている。
【００１９】
さらに、この発明の害虫粘着捕獲材は、前記粘着部２ｂを、水平方向に張り出して非粘着部２ａとした円形の邪魔板１ｃを少なくとも上部に備えた棒状部材１ｄからなる細長状の基材１のその棒状部材１ｄの側周部に設けたものとしている。
【００２０】
さらに、この発明の害虫粘着捕獲材は、前記粘着部２ｂを、幅狭の長尺状板材１ｅと幅広の長尺状板材１ｆを組み合わせて断面Ｔ字形状とした細長状の基材１の非粘着部２ａとした長尺状板材１ｅの外端を除いた裏面に設けたものとしている。
【００２１】
【発明の実施の形態】
以下、この発明の害虫粘着捕獲材を実施の形態に基づいて詳細に説明する。
【００２２】
この発明の害虫粘着捕獲材は、起立可能とした細長状の基材１の表面に、非粘着部２ａを設けると共に粘着部２ｂを設けたものとしている。
【００２３】
すなわち、この発明の害虫粘着捕獲材は、図１に示したように、面状基材Ａの表面に、両端部に設けた非粘着部２ａを除いて粘着剤層などとした粘着部２ｂを設けたものとしており、前記面状基材Ａの裏面側から表面側に向けて、両端におよぶ等間隔の複数の切断用案内３を設けたものとしている。また、前記粘着部２ｂには、切断用案内３に沿うようにして切断用案内４を設けた離型紙５を貼着したものとしている。そして、前記基材１は、切断用案内３、４に沿って面状基材Ａを複数の細長状に切り離したものとしている。
【００２４】
さらに、この発明の害虫粘着捕獲材は、図２、３に示したように、面状基材Ａの表面に、両端部に設けた非粘着部２ａを除いて粘着剤層などとした粘着部２ｂを設けたものとしており、前記面状基材Ａの裏面側から表面側に向けて、両端におよぶ等間隔の複数の切断用案内３を設けたものとしている。また、前記粘着部２ｂには、切断用案内３に沿うようにして切断用案内４を設けた離型紙５を貼着したものとしている。そして、前記基材１は、切断用案内３、４に沿って面状基材Ａを複数の細長状に切り離したものとしている。さらに、前記面状基材Ａの何れかの基材１の一端部には、細長状の基材１の立て台６を切り離し可能な状態で連設したものとしている。
【００２５】
また、この発明の害虫粘着捕獲材は、図４、５に示したように、面状基材Ａの表面に、両端部に設けた非粘着部２ａを除いて粘着剤層などとした粘着部２ｂを設けたものとしており、前記面状基材Ａの裏面側から表面側に向けて、両端におよぶ等間隔の複数の切断用案内３を設けたものとしている。さらに、複数の切断用案内３の各間において、図４に示したように、面状基材Ａの両端部から交互に、または図５に示したように、両端部の何れかから、その面状基材Ａの略中央部まで差込み用切り目７を設けたものとしている。また、前記粘着部２ｂには、切断用案内３に沿うようにして切断用案内４を設けた離型紙５を貼着したものとしている。そして、前記基材１は、切断用案内３、４に沿って面状基材Ａを複数の細長状に切り離したものとしている。なお、この害虫粘着捕獲材においても、図示していないが、前記面状基材Ａの何れかの基材１の一端部には、細長状の基材１の立て台６を切り離し可能な状態で連設したものとしてもよいのは言うまでもない。
【００２６】
前記面状基材Ａは、ボール紙などの厚紙、木板、合成樹脂板などにより長方形状に作成され、その大きさや厚みは特に限定されないが、縦横をそれぞれ５〜４０ｃｍ程度、厚みを０．１〜５ｍｍ程度にするのが、商品とした場合に梱包や運搬がし易いものとなり、商品展示するのにも都合の良いものとなる。また、細長状に切り離したときの幅は、０．５〜５ｃｍ程度とするのが、使用し易いものとなり好ましい。なお、この発明において、細長状とは、短冊状、棒状、筒状などのように細くて長い形状であればすべて含むものとする。
【００２７】
前記粘着部２ｂは、適宜、粘着剤を塗布するなどしたものとし、面状基材Ａの両端部のうちの少なくとも一端部に設けた非粘着部２ａを除いて、その面状基材Ａの一面に設けたものとすればよい。すなわち、図示したものでは、両端部に設けた非粘着部２ａを除いて面状基材Ａの一面に設けたものとしているが、両端部のうちの何れかの一端部に設けた非粘着部２ａを除いて面状基材Ａの一面に設けたものとしてもよい。また、前記粘着部２ｂを形成する粘着剤には、必要に応じて、飛翔害虫の誘引剤、殺虫剤、成長調整剤、犬、猫の忌避剤、紫外線防止剤、着色剤、安定剤などの機能性物質を混入したものとしてもよい。このような機能性物質を混入することにより、この発明の害虫粘着捕獲材は、飛翔害虫を粘着捕獲し易いものとなると共に犬、猫が寄り付き難いものとなり、しかも耐候性に優れたものとなる。さらに、これら機能性物質は、前記面状基材Ａや立て台６に含浸させたり、付着させたものとしてもよい。なお、前記粘着部２ｂには、離型紙５を貼着したものとするのが、面状基材Ａを切り離すときに手指に粘着部２ｂが引っ付く心配が全くなくなったり、商品包装がし易いものとなるが、離型紙５を貼着したものとしなくてもよい。
【００２８】
前記切断用案内３、４は、手指またはハサミなどによって容易に切断して切り離せるようにしたものであればよく、ミシン目、切り目、スリット孔、切り取り線、折り取り線、千切り線などとすることができる。
【００２９】
前記立て台６は、面状基材Ａの何れかの基材１の両端部のうちの少なくとも一端部に、切り離し可能な状態で連設したものとすればよい。すなわち、図示したものでは、面状基材Ａの何れかの基材１の一端部にこの立て台６を一個、切り離し可能な状態で連設したものとしているが、面状基材Ａの何れかの基材１の両端部に一個ずつ、この立て台６を切り離し可能な状態で連設したものとしてもよい。また、前記立て台６は、テーブルや机などの水平面上に置いて切り離した基材１を立てるようにしたものでも、壁などの垂直面上に取り付けて、切り離した基材１を立てるようにしたものでもよい。図２、３に示した立て台６は、水平面上に置いて切り離した基材１を立てるようにしたものであり、円錐台状の中空台の上面に、切り離した基材１の差込孔８を複数個設けたものとしている。図６に示した立て台６は、垂直面上に取り付けて、切り離した基材１を立てるようにしたものであり、円錐台状の中空台の上面に打出し片９を設け、その打出し片９に切り離した基材１の差込孔８を複数個設けたものとしている。なお、前記差込孔８は、スリット状、Ｌ字状、十字状、三角形状、四角形状など、差し込む基材１の形状に応じた形状とすることができる。
【００３０】
さらに、この発明の害虫粘着捕獲材は、図７〜１２に示したように、前記粘着部２ｂが、飛翔害虫は接触して粘着捕獲されるが、犬、猫は接触しても離れ易いように設けたものとしている。
【００３１】
すなわち、この発明の害虫粘着捕獲材は、図７、８に示したように、前記粘着部２ｂを、断面形状が星型多角形状の細長状の基材１の非粘着部２ａとした各角部を除いた側周部に設けたものとしている。この場合、犬、猫が接触しても離れ易いようにするには、前記基材１の断面形状の外周円の最大直径を、約０．１〜５ｃｍとし、非粘着部２ａの幅を粘着部２ｂの幅の約１／３程度とするのが好ましい。また、犬、猫が接触しても離れ易いようにするには、前記多角形状の各頂点間の間隔が狭い方がよい。
【００３２】
さらに、この発明の害虫粘着捕獲材は、図９に示したように、前記粘着部２ｂを、複数枚の長尺状板材を断面放射形状に組み合わせた細長状の基材１の非粘着部２ａとした各側面部外端を除いた各側面部に設けたものとしている。この場合、犬、猫が接触しても離れ易いようにするには、前記基材１の断面形状の外周円の最大直径を、約０．１〜５ｃｍとし、非粘着部２ａの幅を粘着部２ｂの幅の約１／３程度とするのが好ましい。
【００３３】
さらに、この発明の害虫粘着捕獲材は、図１０に示したように、前記粘着部２ｂを、縦方向に立設した板状部材１ａから横方向に突出した少なくとも一個の板状部材１ｂからなる細長状の基材１の非粘着部２ａとした各板状部材１ｂの外端部を除いた各表裏面に設けたものとしている。この場合、犬、猫が接触しても離れ易いようにするには、前記基材１の板状部材１ｂの突出長さを、約１〜１０ｃｍとし、非粘着部２ａの幅を粘着部２ｂの幅の約１／３程度とするのが好ましい。
【００３４】
さらに、この発明の害虫粘着捕獲材は、図１１に示したように、前記粘着部２ｂを、水平方向に張り出して非粘着部２ａとした円形の邪魔板１ｃを少なくとも上部に備えた棒状部材１ｄからなる細長状の基材１のその棒状部材１ｄの側周部に設けたものとしている。この場合、犬、猫が接触しても離れ易いようにするには、前記基材１の邪魔板１ｃの最大直径を、約５〜１０ｃｍとし、棒状部材１ｄの最大直径を、約１〜３ｃｍとするのが好ましい。なお、前記邪魔板１ｃは、図示していないが必要に応じ、棒状部材１ｄの中間部または下部にも備えたものとしてもよい。
【００３５】
さらに、この発明の害虫粘着捕獲材は、図１２に示したように、前記粘着部２ｂを、幅狭の長尺状板材１ｅと幅広の長尺状板材１ｆを組み合わせて断面Ｔ字形状とした細長状の基材１の非粘着部２ａとした長尺状板材１ｅの外端部を除いた裏面に設けたものとしている。この場合、犬、猫が接触しても離れ易いようにするには、前記基材１の長尺状板材１ｅの幅を、約３〜１０ｃｍとし、非粘着部２ａの幅を粘着部２ｂの幅の約１／３程度とするのが好ましい。
【００３６】
以上のように構成したこの発明の害虫粘着捕獲材は、次のようにして使用することができる。
【００３７】
先ず、図１に示したものでは、手指またはハサミなどによって切断用案内３、４に沿って、面状基材Ａおよび離型紙５を同時に切断すれば、複数に切り離された細長状の基材１を得ることができる。そして、この細長状の基材１から離型紙５を剥がして、その基材１の一端部を摘んで、他端部を適当な台に差し込むなどして起立させておけば、害虫粘着捕獲材として使用することができる。この場合、前記基材１は、各切断用案内３により、一個毎に切り離したものとしても、切断用案内３を一個または複数個、飛ばすことにより、複数個毎に切り離したものとしてもよい。
【００３８】
さらに、図２、３に示したものでは、手指またはハサミなどによって、面状基材Ａから立て台６を切り離すと共に、切断用案内３、４に沿って、面状基材Ａおよび離型紙５を同時に切断すれば、複数に切り離された細長状の基材１を得ることができる。そして、この細長状の基材１から離型紙５を剥がして、その基材１の一端部を摘んで、他端部を前記立て台６の差込孔８に差し込んで起立させておけばよい。この場合、基材１を何個毎に切り離したものとするかによって、前記立て台６に形成する差込口８の形状は、例えば次のようなものとすることができる。先ず、基材１を一個毎に切り離したものとすれば、図１３に示したように、前記立て台６の上面に設けた横長のスリット状の差込孔８に差し込んで起立させておけばよい。さらに、基材１を二個毎に切り離せば、図１４に示したように、前記立て台６の上面に設けたＬ字状の差込孔８に差し込んで起立させておけばよい。また、基材１を四個毎に切り離したものとすれば、図１５に示したように、前記立て台６の上面に設けた四角形状の差込孔８に差し込んで起立させておけばよい。
【００３９】
また、図４、５に示したものでは、手指またはハサミなどによって、切断用案内３、４に沿って、面状基材Ａおよび離型紙５を同時に切断すれば、複数に切り離された細長状の基材１を得ることができる。次に、これら切り離された二個の基材１の差込み用切り目７どうしを、互いに差し込んで十字状に重ね合わせる。
そして、この細長状の基材１から離型紙５を剥がして、その基材１の一端部を摘んで、他端部を、図１６に示したように、前記立て台６の上面に設けた十字状の差込孔８に差し込んで起立させておけばよい。
【００４０】
なお、前記立て台６を壁などの垂直面上に取り付けて、切り離した基材１を起立させるようにしたものでは、図１７に示したように、立て台６をピンやビスなどで壁面Ｗに固着させて、この立て台６から打出し片９を水平状態に突出させて、その打出し片９に設けた差込孔８に、基材１の一端部を摘んで、他端部を前記打出し片９に設けた差込孔８に差し込んで起立させておけばよい。
【００４１】
さらに、図７〜９に示したものでは、図１８、１９に示すように、立て台６の差込孔８に差し込んで起立させておけば、害虫粘着捕獲材として使用することができる。図１８に示した立て台６は、板状体６ａの下部に前記差込孔８を形成した横部材１０を設けたものとし、前記板状体６ａの上部中央に、壁面などの吊下げ部（図示せず）に吊り下げておくための、吊下げ用孔１１を形成したものとしている。さらに、図１９に示した立て台６は、板状体６ａの略中央部に害虫の通口１２が形成されており、この通口１２の下方には前記差込孔８を形成した横部材１０を設けたものとし、通口１２の下部から板状体６ａの下部にかけて支持部１３を形成したものとし、床面などに立てておけるようにしている。このようにすると、害虫が前記通路１２を通り、捕獲性が向上することになる。また、前記板状体６ａの上部両端には、壁面などの吊下げ部（図示せず）に吊り下げておくための、吊下げ用孔１１を形成したものとしている。なお、前記図１８、１９に示した立て台６は、ともに横部材１０の内部を中空にして、基材１を収納できるようにしておくこともできる。
【００４２】
さらに、図１０〜１３に示したものでは、図示していないが、適当な立て台（図示せず）に差し込んで起立させたり、そのまま起立させておけば、害虫粘着捕獲材として使用することができる。
【００４３】
【発明の効果】
この発明の害虫粘着捕獲材は、以上に述べたように構成されているので、構造が簡単で生産効率が良く、使用中に風に煽られるなどしても引っ付くことなく接着面積が小さくなることがなく、しかも単に紙に包むなどして簡単に廃棄することができるものとなり、非常に取り扱い易いものとなった。
【００４４】
さらに、この発明の害虫粘着捕獲材は、犬や猫が接触しても、その接触した部分に接着し難く、また犬や猫の体に巻き付くようなこともないので、犬や猫の接触によって使えなくなって無駄になるようなことのないものとなった。
【図面の簡単な説明】
【図１】この発明の害虫粘着捕獲材の一実施形態を示す斜視図である。
【図２】この発明の害虫粘着捕獲材の他の実施形態を示す斜視図である。
【図３】図２に示したこの発明の害虫粘着捕獲材の断面図である。
【図４】この発明の害虫粘着捕獲材のさらに他の実施形態を示す斜視図である。
【図５】この発明の害虫粘着捕獲材のさらに他の実施形態を示す斜視図である。
【図６】この発明の害虫粘着捕獲材の立て台の他の例を示す斜視図である。
【図７】この発明の害虫粘着捕獲材のさらに他の実施形態を示す斜視図である。
【図８】この発明の害虫粘着捕獲材のさらに他の実施形態を示す斜視図である。
【図９】この発明の害虫粘着捕獲材のさらに他の実施形態を示す斜視図である。
【図１０】この発明の害虫粘着捕獲材のさらに他の実施形態を示す斜視図である。
【図１１】この発明の害虫粘着捕獲材のさらに他の実施形態を示す斜視図である。
【図１２】この発明の害虫粘着捕獲材のさらに他の実施形態を示す斜視図である。
【図１３】この発明の害虫粘着捕獲材の一使用状態を示す斜視図である。
【図１４】この発明の害虫粘着捕獲材の他の使用状態を示す斜視図である。
【図１５】この発明の害虫粘着捕獲材のさらに他の使用状態を示す斜視図である。
【図１６】この発明の害虫粘着捕獲材のさらに他の使用状態を示す斜視図である。
【図１７】この発明の害虫粘着捕獲材のさらに他の使用状態を示す斜視図である。
【図１８】この発明の害虫粘着捕獲材のさらに他の使用状態を示す斜視図である。
【図１９】この発明の害虫粘着捕獲材のさらに他の使用状態を示す斜視図である。
【符号の説明】
１　基材
１ａ　板状部材
１ｂ　板状部材
１ｃ　邪魔板
１ｄ　棒状基材
１ｅ　長尺状板材
１ｆ　長尺状板材
２ａ　非粘着部
２ｂ　粘着部
３　切断用案内
４　切断用案内
５　離型紙
６　立て台
Ａ　面状基材
【図１】
2004097203.tif 000003
【図２】
2004097203.tif 000004
【図３】
2004097203.tif 000005
【図４】
2004097203.tif 000006
【図５】
2004097203.tif 000007
【図６】
2004097203.tif 000008
【図７】
2004097203.tif 000009
【図８】
2004097203.tif 000010
【図９】
2004097203.tif 000011
【図１０】
2004097203.tif 000012
【図１１】
2004097203.tif 000013
【図１２】
2004097203.tif 000014
【図１３】
2004097203.tif 000015
【図１４】
2004097203.tif 000016
【図１５】
2004097203.tif 000017
【図１６】
2004097203.tif 000018
【図１７】
2004097203.tif 000019
【図１８】
2004097203.tif 000020
【図１９】
2004097203.tif 000021